(57)【特許請求の範囲】
【請求項１】
競技用ゴールの設置位置に上端開口部が開口した状態に埋設される筒状のアンカーと、このアンカー内に挿脱可能に嵌挿される固定具本体と、この固定具本体の上端に突設され、先端が上記競技用ゴールの底辺のフレーム部材に係合するように形成されるフック部とを具備し、
上記アンカーを地面に対しての垂直状態より傾斜した状態に埋設されるように傾斜状に形成し、
上記固定具本体をアンカー内に嵌挿することにより、上記フック部によって競技用ゴールの底辺のフレーム部材を地面に固定可能に形成してなることを特徴とする競技用ゴールの固定具。
【請求項２】
請求項１記載の競技用ゴールの固定具において、
上記アンカーの内周面又は固定具本体の外周面のいずれか一方に、他方の面に接触可能な長手方向に延在する少なくとも１つの突条を形成してなることを特徴とする競技用ゴールの固定具。
【請求項３】
請求項１又は２記載の競技用ゴールの固定具において、
上記アンカーの少なくとも対向する側面部位に、地中に突入するアンカー片を突設してなることを特徴とする競技用ゴールの固定具。
【請求項４】
請求項１ないし３のいずれかに記載の競技用ゴールの固定具において、
上記アンカーの上端開口部を閉塞するキャップ部材を着脱可能に形成してなることを特徴とする競技用ゴールの固定具。
【請求項５】
請求項１ないし４のいずれかに記載の競技用ゴールの固定具において、
上記アンカーの下端開口部に、水抜き用通孔を有する底板を固着してなることを特徴とする競技用ゴールの固定具。
【発明の詳細な説明】
【０００１】
【発明の属する技術分野】
この発明は、競技用ゴールの固定具に関するもので、更に詳細には、例えばサッカーゴール等の競技用ゴールを地面に取り付ける競技用ゴールの固定具に関するものである。
【０００２】
【従来の技術】
従来のこの種の固定具として、特開平１０−１９２４６８号公報に記載のものが知られている。この特開平１０−１９２４６８号公報に記載のパイプ用固定具は、サッカーゴールの底部を構成するパイプ部材に、中央にパイプ部材が貫通する貫通孔が形成されたゴムブッシュを装着し、このパイプ部材に装着されたゴムブッシュを、逆Ｊ字形に形成されたペグによって、上方から押さえつけ、ペグの一端を地面に差し込むことによって、パイプ部材を地面に固定する構造である。
【０００３】
この競技用ゴールの固定具によれば、ゴムブッシュを介した状態でパイプ部材をペグによって押さえつけることができるので、パイプ部材を地面に固定する際に、パイプに直接ペグが当接することがなく、パイプ部材に損傷を与えずに固定することができる。
【０００４】
【発明が解決しようとする課題】
しかしながら、従来のこの種の競技用ゴールの固定具においては、ペグを地面に打ち込んでパイプ部材を固定するため、ペグの地面の打ち込みに多くの時間と労力を要するという問題があった。また、サッカーゴールを移動する場合においても、地面に打ち込まれたペグを抜き取る作業が面倒であるという問題もあった。また、パイプ部材の地面への固定が、地面に対する垂直方向へのペグの差し込みだけで行われているため、ペグがパイプ部材の上方へ移動して抜け出る恐れがあり、サッカーゴールにガタツキが生じたり、倒れる恐れがあるという問題があった。更には、パイプ部材に装着されたゴムブッシュを装着するのに手間がかかると共に、ゴムブッシュの作製にコストがかかるという問題もあった。
【０００５】
なお、サッカーゴール以外の例えばホッケー等の地面に設置する競技用ゴールにおいても同様の問題があった。
【０００６】
この発明は、上記事情に鑑みてなされたもので、パイプ部材の地面への固定を確実にすると共に、固定具の取り付け、取り外しを容易にする競技用ゴールの固定具を提供することを目的とするものである。
【０００７】
【課題を解決するための手段】
上記課題を解決するために、請求項１記載の発明は、競技用ゴールの設置位置に上端開口部が開口した状態に埋設される筒状のアンカーと、このアンカー内に挿脱可能に嵌挿される固定具本体と、この固定具本体の上端に突設され、先端が上記競技用ゴールの底辺のフレーム部材に係合するように形成されるフック部とを具備し、  上記アンカーを地面に対しての垂直状態より傾斜した状態に埋設されるように傾斜状に形成し、  上記固定具本体をアンカー内に嵌挿することにより、上記フック部によって競技用ゴールの底辺のフレーム部材を地面に固定可能に形成してなることを特徴とする。
【０００８】
このように構成することにより、地面に対しての垂直状態より傾斜した状態に埋設されたアンカー内に固定具本体を傾斜方向から嵌挿して、固定具本体に突設されたフック部によって競技用ゴールの底辺のフレーム部材を地面に固定することができる。したがって、競技用ゴールの固定（設置）を確実にすることができると共に、固定具の取り付け、取り外しを容易にすることができる。
【０００９】
請求項２記載の発明は、請求項１記載の競技用ゴールの固定具において、上記アンカーの内周面又は固定具本体の外周面のいずれか一方に、他方の面に接触可能な長手方向に延在する少なくとも１つの突条を形成してなることを特徴とする。
【００１０】
このように構成することにより、アンカーの内周面と固定具本体の外周面との接触面積を小さくすることができるので、アンカーの内面や固定具本体の外面に土が付着してもアンカーに対する固定具本体の嵌挿及び引き抜きを容易にすることができる。したがって、更に固定具の取り付け、取り外しを容易にすることができる。
【００１１】
請求項３記載の発明は、請求項１又は２記載の競技用ゴールの固定具において、  上記アンカーの少なくとも対向する側面部位に、地中に突入するアンカー片を突設してなることを特徴とする。
【００１２】
このように構成することにより、固定具本体をアンカーから引き抜く際に、アンカーが地中から抜け出るのを防止することができる。
【００１３】
請求項４記載の発明は、請求項１ないし３のいずれかに記載の競技用ゴールの固定具において、  上記アンカーの上端開口部を閉塞するキャップ部材を着脱可能に形成してなることを特徴とする。
【００１４】
このように構成することにより、アンカーの上端開口部をキャップ部材で閉塞するので、固定具の不使用時にアンカー内に土砂や雨水等が侵入するのを防止することができる。
【００１５】
請求項５記載の発明は、請求項１ないし４のいずれかに記載の競技用ゴールの固定具において、  上記アンカーの下端開口部に、水抜き用通孔を有する底板を固着してなることを特徴とする。
【００１６】
このように構成することにより、アンカー内に侵入した雨水等を水抜き用通孔から下方へ排出することができるので、アンカー内に雨水等が溜まるのを防止することができ、アンカーに耐食性をもたせることができる。したがって、アンカーひいては固定具の寿命の増大が図れる。
【００１７】
【発明の実施の形態】
以下に、この発明の競技用ゴールの固定具の実施形態を添付図面に基づいて詳細に説明する。図１は、この発明の競技用ゴールの固定具をサッカーゴールに使用した場合の概略斜視図、図２は、競技用ゴールの固定具の使用状態を示す拡大断面図、図３は競技用ゴールの固定具の不使用時を示す断面図、図４は、この発明の競技用ゴールの固定具を示す拡大斜視図である。
【００１８】
上記競技用ゴールの固定具Ｐは、サッカーゴール１の設置位置の地中に埋設されるアンカー２と、このアンカー２内に挿脱可能に嵌挿され、上端部にサッカーゴール１のフレーム部材１１に係合するための逆Ｕ字形のフック部３１を突設する固定具本体３とで主に構成されている。
【００１９】
上記アンカー２は、図５に示すように、上端及び下端が開口する断面略四角形の筒状に形成されるアンカー基部２１と、このアンカー基部２１の少なくとも対向する側面例えば下端側部の対向する位置に、地中に突入するように延在する２つのアンカー片２２とで構成されている。
【００２０】
この場合、アンカー基部２１は地面に対しての垂直状態より若干傾斜した状態になっている。なお、上記アンカー片２２の突設位置はアンカー基部２１の下端部に限らず、アンカー基部２１の中間部付近又は上端部付近に突設してもよい。
【００２１】
また、アンカー基部２１の上端開口部２４には、アンカー基部２１の内壁面に係合する係止脚片４１を有するキャップ部材４が着脱可能に装着されるようになっている。また、アンカー基部２１の下端部には水抜き用通孔２６が穿設された底板２５が溶接等の固定手段によって固着されている（図２、図３参照）。なおこの場合、上記アンカー片２２と上記底板２５を一体の板状部材２７に形成し、アンカー基部２１の下端部に溶接等の固定手段によって固着してもよい（図７参照）。
【００２２】
このように構成することにより、アンカー片２２と底板２５とを一体部材２７にて形成することができるので、構成部材の削減が図れると共に、アンカー２とアンカー片２２及び底板２５の取付作業を容易にすることができる。
【００２３】
上記固定具本体３は、図４及び図５に示すように、外周面が上記アンカー基部２１内に挿脱可能に嵌挿しうる四角柱状に形成され、上端面及び下端面は地面に対して平行になるように形成されている。
【００２４】
また、上記固定具本体３の上端部略中央には、図２、図４及び図５に示すように、例えば丸棒によって逆Ｕ字形に折曲されたフック部３１が突設されている。
【００２５】
なお、上記アンカー基部２１及び固定具本体３は例えばアルミニウム製部材例えば押出形材にて形成されており、アンカー基部２１及び固定具本体３にそれぞれ突設されるアンカー片２２及びフック部３１も例えばアルミニウム製部材で形成されており、溶接等により取付けられている。
【００２６】
このように構成された競技用ゴールの固定具Ｐを使用する場合、まず、アンカー２をサッカーゴール１の配置場所の、例えばサッカーゴール１の後部位置に２つ、側部位置にそれぞれ１つずつ、アンカー基部２１の上端開口部２４がサッカーゴール１方向に傾斜した状態で、開口部２４が地面とほぼ同じ高さになるように予め埋設しておく。次に、所定位置にサッカーゴール１を配置した後、固定具本体３に突設されたフック部３１がサッカーゴール１の底辺のフレーム部材１１に上方から係合し得るように、固定具本体３をアンカー基部２１内に嵌挿し、フック部３１によってフレーム部材１１を地面に固定することができる。
【００２７】
上記のように構成された競技用ゴールの固定具Ｐによれば、予め地中に埋設されたアンカー２がアンカー片２２によって地中に固定され、地面に対しての垂直状態からサッカーゴール１の前方に向かって傾斜すると共に、固定具本体３も傾斜した状態であるので、固定具本体３がアンカー基部２１から上方へ抜け出すことがなく、また、アンカー２もアンカー片２２によって地中に固定されており地中から抜け出すことがない。したがって、フレーム部材１１すなわちサッカーゴール１の固定（設定）を確実にすることができる。
【００２８】
また、競技用ゴールの固定具Ｐを取り外す場合は、地中に埋設されたアンカー２に嵌挿している固定具本体３をアンカー基部２１の傾斜に沿って上方へ摺動させることによってサッカーゴール１の底辺フレーム部材１１とフック部３１との係合状態が解除することができる。
【００２９】
なお、サッカーゴール１を使用しない場合には、固定具本体３をアンカー２から抜き出した後に、図３に示すように、アンカー基部２１の開口部２４に係止脚片４１が嵌合するようにキャップ部材４を着脱可能に装着することによって、外方からのアンカー基部２１内への土や雨水等の侵入を防ぐことができる。また、アンカー２の開口部２４を目隠しすることができるので安全性及び美観の向上を図ることができる。
【００３０】
なお、上記実施形態では、アンカー基部２１と固定具本体３が互いに摺動する断面略四角形状に形成される場合について説明したが、必ずしもこのような構造である必要はない。例えば、図６に示すように、固定具本体３の外周面に、長手方向に延在する突条３２を例えば１つの面に３つ突設してもよい。あるいは、アンカー基部２１の内周面に、固定具本体３の外周面に接触可能な長手方向に延在する突条を設けてもよい。
【００３１】
このように構成することにより、アンカー基部２１内周面と固定具本体３の外周面の接触面積が小さくなり摩擦力が減少するので、アンカー基部２１内への固定具本体３の挿脱を容易にすることができる。
【００３２】
なお、本実施形態において、上記アンカー基部２１と固定具本体３の形状は断面略四角形に限定されるものではなく、例えば断面を円形状又は三角形状又はその他の多角形状に形成してもよい。
【００３３】
また、上記実施形態では、上記フック部３１の形状は逆Ｕ字状に形成されているが、サッカーゴール１のフレーム部材１１の断面形状が例えば略四角形又はその他の多角形に形成されている場合には、このフレーム部材１１の外周に係合し得る形状にフック部３１を形成すればよい。
【００３４】
【発明の効果】
以上に説明したように、この発明は上記のように構成されているので、以下のような優れた効果が得られる。
【００３５】
（１）請求項１記載の発明によれば、地面に対して垂直状態より傾斜した状態に埋設されたアンカー内に固定具本体を傾斜方向から嵌挿して、固定具本体に突設されたフック部によって競技用ゴールの底辺のフレーム部材を地面に固定することができる。したがって、競技用ゴールの固定（設置）を確実にすることができると共に、固定具の取り付け、取り外しを容易にすることができる。
【００３６】
（２）請求項２記載の発明によれば、アンカーの内周面又は固定部本体の外周面のいずれか一方に、長手方向に延在する突条を形成することにより、アンカーの内周面と固定具本体の外周面との接触面積を小さくすることができるので、アンカーの内面や固定具本体の外面に土が付着してもアンカーに対する固定具本体の嵌挿及び引き抜きを容易にすることができる。したがって、上記（１）に加えて、更にフレーム部材の取り付け、取り外しを容易にすることができる。
【００３７】
（３）請求項３記載の発明によれば、アンカーの少なくとも対向する側面部位に、地中に突入するアンカー片を突設することによって、上記（１）、（２）に加えて、アンカーが地中から抜け出るのを防止することができる。
【００３８】
（４）請求項４記載の発明によれば、アンカーの上端開口部を閉塞するキャップ部材を着脱可能に形成することにより、上記（１）〜（３）に加えて固定具の不使用時にアンカー内に土砂や雨水等が侵入するのを防止することができる。
【００３９】
（５）請求項５記載の発明によれば、アンカーの下端開口部に、水抜き用通孔を有する底板を固着することによって、上記（１）〜（４）に加えてアンカー内に雨水等が溜まるのを防止することができ、アンカーに耐食性をもたせることができる。したがって、アンカーひいては固定具の寿命の増大が図れる。
【図面の簡単な説明】
【図１】  この発明に係る競技用ゴールの固定具の使用状態を示す概略斜視図である。
【図２】上記競技用ゴールの固定具の使用状態を示す断面図である。
【図３】上記競技用ゴールの固定具の不使用状態を示す断面図である。
【図４】  上記競技用ゴールの固定具のアンカーに固定具本体を挿脱可能に嵌挿している状態を示す拡大斜視図である。
【図５】  上記競技用ゴールの固定具の分解斜視図である。
【図６】  この発明における競技用ゴールの固定具の固定具本体の変形例を示す拡大斜視図である。
【図７】上記競技用ゴールの固定具のアンカー片と底板を一体の板状に形成した場合のアンカーを示す底面斜視図である。
【符号の説明】
Ｐ  競技用ゴールの固定具
１  サッカーゴール
２  アンカー
３  固定具本体
１１  フレーム部材
２２  アンカー片
２４  開口部
２５  底板
２６  水抜き用通孔
３１  フック部
３２  突条
【図１】
0003956092.tif 000002
【図２】
0003956092.tif 000003
【図３】
0003956092.tif 000004
【図４】
0003956092.tif 000005
【図５】
0003956092.tif 000006
【図６】
0003956092.tif 000007
【図７】
0003956092.tif 000008